(57)【特許請求の範囲】
【請求項１】
供血者より血液を採取する採血針（８）と、
前記採取された血液を収納する採血バッグ（４）と、
前記採取された血液を前記採血バッグ（４）へ導入する第１採血チューブ（Ｔ１．１）及び第２採血チューブ（Ｔ１．２）と、
前記採取された血液の初流を除去する初流血液チューブ（Ｔ２）と、採血初流除去バッグ（Ｂ）とを有し、
前記第１採血チューブ（Ｔ１．１）、第２採血チューブ（Ｔ１．２）及び前記初流血液チューブ（Ｔ２）は、前記採血針（８）からみて、前記採血針（８）に近い側の第１端部と前記採血針（８）に遠い側の第２端部とを有し、
前記第１採血チューブ（Ｔ１．１）は、第１端部を前記採血針（８）に接続し、
前記第２採血チューブ（Ｔ１．２）は、第２端部を前記採血バッグ（４）に接続し、
前記第１採血チューブ（Ｔ１．１）と前記第２採血チューブ（Ｔ１．２）との間に流路切替手段（Ｖ）を配置し、当該流路切替手段（Ｖ）に前記初流血液チューブ（Ｔ２）の第１端部を接続し、
当該初流血液チューブ（Ｔ２）の第２端部は、採血初流除去バッグ（Ｂ）に接続し、
前記流路切替手段（Ｖ）は、多方活栓（３０）であり、
当該多方活栓（３０）は、本体（３１）と、当該本体（３１）内に回動自在に嵌合される栓体（３４）とを有し、
前記本体（３１）は、長手方向と当該長手方向と略垂直に交わる側部方向を有し、当該側部方向は第１側部方向、第２側部方向、第３側部方向、及び第４側部方向を有し、
前記第１側部方向に第三分岐管（３３ｃ）を有し、
前記第２側部方向に第一分岐管（３３ａ）を有し、及び前記第３側部方向に第二分岐管（３３ｂ）を有し、
前記第一分岐管（３３ａ）に、前記第１採血チューブ（Ｔ１．１）の第２端部を接続し、
前記第二分岐管（３３ｂ）に、前記第２採血チューブ（Ｔ１．２）の第１端部を接続し、
前記第三分岐管（３３ｃ）に、前記初流血液チューブ（Ｔ２）の第１端部を接続し、
前記栓体（３４）は、第一流路（３６ａ）と第二流路（３６ｂ）を有し、
前記第一流路（３６ａ）は、前記第２側部方向から前記栓体（３４）の略中央部方向に迂回して、前記第二流路（３６ｂ）と連通するように形成し、
前記第二流路（３６ｂ）は、前記第１側部方向から前記栓体（３４）の略中央部方向に迂回して、前記第一流路（３６ａ）と連通するように形成し、
前記第一流路（３６ａ）と前記第二流路（３６ｂ）は、前記栓体（３４）の略中央部方向に迂回して、略Ｌ字状に相互に連通するように形成し、
前記多方活栓（３０）は、
初期の第一の状態のとき、前記第１採血チューブ（Ｔ１．１）及び前記初流血液チューブ（Ｔ２）の流路を連通し、前記第２採血チューブ（Ｔ１．２）の流路を遮断し、
前記第一の状態から前記栓体（３４）を前記第２側部方向の位置まで回動して、第二の状態にしたとき、前記第１採血チューブ（Ｔ１．１）及び前記第２採血チューブ（Ｔ１．２）の流路を連通し、前記初流血液チューブ（Ｔ２）の流路を遮断し、
前記第二の状態から前記栓体（３４）を前記第３側部方向の位置まで回動して、第三の状態にしたとき、前記第１採血チューブ（Ｔ１．１）、第２採血チューブ（Ｔ１．２）、及び前記初流血液チューブ（Ｔ２）を全て遮断し、
前記栓体（３４）の前記第一流路（３６ａ）は、
前記第一の状態のときに、前記第一分岐管（３３ａ）と連通し、
前記第二の状態のときに、前記第二分岐管（３３ｂ）と連通し、
前記第三の状態のときに、前記第一分岐管（３３ａ）、第二分岐管（３３ｂ）、及び第三分岐管（３３ｃ）のいずれとも連通せず、
前記栓体（３４）の前記第二流路（３６ｂ）は、
前記第一の状態のときに、前記第三分岐管（３３ｃ）と連通し、
前記第二の状態のときに、前記第一分岐管（３３ａ）と連通し、
前記第三の状態のときに、前記第二分岐管（３３ｂ）と連通し、
前記第一の状態のときは、初流血液を、前記採血針（８）から前記第１採血チューブ（Ｔ１．１）、前記多方活栓（３０）を経て、前記初流血液チューブ（Ｔ２）へ流すことができ、
前記第二の状態のときは、初流血液採取後の血液を、前記採血針（８）から前記第１採血チューブ（Ｔ１．１）、前記多方活栓（３０）、前記第２採血チューブ（Ｔ１．２）を経て、前記採血バッグ（４）へ採取することができ、
前記第三の状態のときは、前記採血初流除去バッグ（Ｂ）のバッグ本体（２１）内に貯留した初流血液を、出口（２４）側から採取することができる、ことを特徴とする採血器具（１）。
【請求項２】
前記請求項１に記載の多方活栓（３０）に代えて、さらに栓体（３４）の逆操作を防止するための逆操作防止部材を有する多方活栓（３０Ａ）を装着し、
前記逆操作防止部材は、
本体（３１）の内壁に形成された突起（４１）と前記栓体（３４）の外壁に形成された係止部材（４２）、または、
前記本体（３１）の内壁に形成された係止部材（４２）と前記栓体（３４）の外壁に形成された突起（４１）であることを特徴とする請求項１に記載の採血器具（１）。
【請求項３】
前記請求項２に記載の前記逆操作防止部材を有する多方活栓（３０Ａ）は、
本体（３１）と、栓体（３４）とを有し、
前記本体（３１）と前記栓体（３４）は、長手方向と当該長手方向と略垂直に交わる側部方向を有し、
当該長手方向は、上部方向である第１長手方向と下部方向である第２長手方向とを有し、
前記側部方向は、第１側部方向、第２側部方向、第３側部方向、及び第４側部方向を有し、
前記栓体（３４）は、前記本体（３１）内を前記第１側部方向、第２側部方向、及び第３側部方向にわたって回動できるように嵌合し、
前記本体（３１）は、上部壁面（ＵＷ）、側部壁面（ＳＷ）及び下部壁面（ＬＷ）を有し、
前記側部壁面（ＳＷ）は、前記第１側部方向に第三分岐管（３３ｃ）を有し、前記第２側部方向に前記第一分岐管（３３ａ）を有し、及び前記第３側部方向に前記第二分岐管（３３ｂ）を有し、
前記側部壁面（ＳＷ）は、前記第１側部方向と前記第２側部方向との間に、前記第２側部方向に沿って次第に大きく突出する第１突起（４１．１）を形成し、当該第１突起（４１．１）は、前記第２側部方向に第１係止部（４１．１Ｔ）を有し、
前記第２側部方向と前記第３側部方向との間に、前記第３側部方向に沿って次第に大きく突出する第２突起（４１．２）を形成し、当該第２突起（４１．２）は、前記第３側部方向に第２係止部（４１．２Ｔ）を有し、
前記第１側部方向と前記第４側部方向との間に、前記第１側部方向に沿って次第に大きく突出する第３突起（４１．３）を形成し、当該第３突起（４１．３）は、前記第１側部方向に第３係止部（４１．３Ｔ）を有し、
上部壁面（ＵＷ）は、略中央部に、孔（３１Ｈ）を形成し、
下部壁面（ＬＷ）は、略中央部に、第２長手方向から第１長手方向に立ち上がる軸（５０）を有し、
前記下部壁面（ＬＷ）は、前記軸（５０）と前記第４側部方向との間に、第２長手方向から第１長手方向に立ち上がる回転角度制御部材（４２Ｔ１）を有し、
前記栓体（３４）は、ハンドル（３４Ｈ）、ロータ（５１）、第一流路（３６ａ）及び第二流路（３６ｂ）を有し、
前記ハンドル（３４Ｈ）は、前記栓体（３４）の上部に装着し、
前記第一流路（３６ａ）は、前記第２側部方向から前記栓体（３４）の略中央部方向に迂回して、前記第二流路（３６ｂ）と連通するように形成し、
前記第二流路（３６ｂ）は、前記１側部方向から前記栓体（３４）の略中央部方向に迂回して、前記第一流路（３６ａ）と連通するように形成し、
前記第一流路（３６ａ）と前記第二流路（３６ｂ）は、前記栓体（３４）の略中央部方向に迂回して、略Ｌ字状に相互に連通するように形成し、
前記第一流路（３６ａ）は、
第一の状態のときに、前記第一分岐管（３３ａ）と連通し、
第二の状態のときに、前記第二分岐管（３３ｂ）と連通し、
第三の状態のときに、前記第一分岐管（３３ａ）、前記第二分岐管（３３ｂ）、及び前記第三分岐管（３３ｃ）のいずれとも連通せず、
前記第二流路（３６ｂ）は、
第一の状態のときに、前記第三分岐管（３３ｃ）と連通し、
第二の状態のときに、前記第一分岐管（３３ａ）と連通し、
前記ロータ（５１）は、係止部材（４２）、中央溝（５０Ｍ）、回転溝（５２）を有し、
前記回転溝（５２）は、前記ロータ（５１）の側部方向の壁面と前記中央溝（５０Ｍ）との間に、前記第２側部方向、前記第３側部方向、及び前記第４側部方向にわたって連続して形成し、かつ前記ロータ（５１）の第１長手方向から第２長手方向に形成し、
前記係止部材（４２）は、前記ロータ（５１）の第１側部方向の近傍に突出して形成し、当該係止部材（４２）の前記第１側部方向の端部に係合部（４２Ｔ２）を形成し、
前記ロータ（５１）の中央溝（５０Ｍ）と、前記本体（３４）の軸（５０）を装着し、かつ前記ロータ（５１）の回転溝（５２）と、前記本体（３４）の回転角度制御部材（４２Ｔ１）を装着することにより、
前記ロータ（５１）は、前記本体（３１）の軸（５０）を中心として回動できるように装着し、
前記ロータ（５１）は、前記軸（５０）を中心として、前記係合部（４２Ｔ２）が、前記第１側部方向、前記第２側部方向、及び前記第３側部方向の範囲内で回転し、前記係合部（４２Ｔ２）と前記第１突起（４１．１）、前記第２突起（４１．２）、及び前記第３突起（４１．３）が係合することにより、前記第１側部方向から前記第３側部方向の一方向のみの回転を許容する、多方活栓（３０Ａ）であることを特徴とする請求項２に記載の採血器具（１）。
【請求項４】
前記請求項３に記載の多方活栓（３０Ａ）において、
前記第一の状態のとき、前記係合部（４２Ｔ２）と前記第３係止部（４１．３Ｔ）は、前記第１側部方向の位置で係合し、
前記第二の状態のとき、前記係合部（４２Ｔ２）と前記第１係止部（４１．１Ｔ）は、前記第２側部方向の位置で係合し、前記係合部（４２Ｔ２）は、前記第１側部方向への逆回転を阻止され、
前記第三の状態のとき、前記係合部（４２Ｔ２）と前記第１係止部（４１．２Ｔ）は、前記第３側部方向の位置で係合し、前記係合部（４２Ｔ２）は、前記第２側部方向への逆回転を阻止され、
前記第三の状態のとき、前記ロータ（５１）の回転溝（５２）の第２側部側の端部が、回転角度制御部材（４２Ｔ１）に衝突し、前記係合部（４２Ｔ２）が前記第２側部方向への逆回転できないように形成した、
多方活栓（３０Ａ）であることを特徴とする請求項３に記載の採血器具（１）。
【発明の詳細な説明】
【技術分野】
【０００１】
本発明は、初流血液を採取するとともに、検査用血液の採取を容易に行うことのできる採血器具に関する。
【背景技術】
【０００２】
採血針から採取した血液を血液バッグに導入する際、供血者の穿刺位置をアルコール等で消毒を行うが、消毒を行なっても、皮膚や皮下に存在する細菌が採取した血液の中に混入することがある。
混入した細菌は、細菌の種類によっては、血液バッグを保存している間にも増殖し、細菌の増殖に気づくことなく輸血などに用いられると輸血された患者に感染症などを引き起こし、重篤な事態となるおそれもある。
そこで、採取された血液の細菌汚染防止を図ることができるように、特に採血時の初流の血液を除去するシステムが発明されるようになった。
【０００３】
特許文献１から特許文献４には、血液を採取する採血針と、採取された血液を収納する採血バッグと、一方端が採血バッグに他方端が採血針にそれぞれ連通し、採取された血液を採血バッグへ導入する第１の流路（採血チューブ）と、分岐部を介して第１の流路から分岐し、末端に血液の取り出し口を有する第２の流路（初流血液チューブ）を有し、分岐部と採血バッグの間の第１の流路（採血チューブ）に、流路用封止手段（外付けのクランプ、破断すると流路が開通する封止部材）を装着した採血用器具の発明が開示されている。
【０００４】
中でも特許文献２と特許文献３は、第１の流路（採血チューブ）の流路用封止手段として、外付けのクランプを使用した場合、作業者のクランプの閉め忘れ、これに伴う採血バッグへの採血初流の混入を確実に防止するために、流路用封止手段として、破断すると流路が開通する封止部材を使用するのが良いと明記されている。
【０００５】
特許文献１から特許文献４の発明では、（１）初流血液の採血初流除去バッグ等へ採血、（２）第２の流路（初流血液チューブ）のクランプ等による閉塞、（３）採血バッグへ至る第１の流路（採血チューブ）の解放（外付けのクランプ、破断すると流路が開通する封止部材等）、（４）採血終了後の第１の流路（採血チューブ）の閉塞（クランプをかける）等の作業が必要であった。（１）から（４）の作業手順では、（２）閉塞、（３）解放の順番を間違えることが懸念され、順番を間違えると製剤の無菌保証が低下し、閉塞までの操作が遅くなるため採血初流除去バッグ等への採血が過量になる懸念がある。
また特許文献２と特許文献３のように、分岐部と採血バッグの間の第１の流路（採血チューブ）に、破断すると流路が開通する封止部材を装着する手段では、（１）破断が速やかにできないとか、封止部材の破断片が発生したりする懸念がある。（２）第１の流路（採血チューブ）内に配置するため、第１の流路（採血チューブ）と異なる管状部材内に配置して、第１の流路（採血チューブ）に接続しないといけないので、構成が複雑になる。
【０００６】
【特許文献１】特許３３６１４４０（特許請求の範囲、図１、９、１０）
【特許文献２】特許３７７６２２７（特許請求の範囲、図１、２、１１から１３）
【特許文献３】特許３８１３９７４（特許請求の範囲、図１、２、５）
【特許文献４】特開２００１−１７５３９（特許請求の範囲、図１）
【発明の開示】
【発明が解決しようとする課題】
【０００７】
本発明が解決しようとする問題点は、特許文献１から特許文献４の（１）から（４）の作業手順では、（２）閉塞、（３）解放の順番を間違えることが懸念され、作業者の操作ミスを防止できない懸念がある点である。
また特許文献２、３のように、破断すると流路が開通する封止部材を装着する手段では、（１）破断が速やかにできないとか、封止部材の破断片が発生したりする懸念がある。（２）第１の流路（採血チューブ）の構成が複雑になる等の点である。
【課題を解決するための手段】
【０００８】
［１］本発明は、
供血者より血液を採取する採血針（８）と、
前記採取された血液を収納する採血バッグ（４）と、
前記採取された血液を前記採血バッグ（４）へ導入する第１採血チューブ（Ｔ１．１）及び第２採血チューブ（Ｔ１．２）と、
前記採取された血液の初流を除去する初流血液チューブ（Ｔ２）と、採血初流除去バッグ（Ｂ）とを有し、
前記第１採血チューブ（Ｔ１．１）、第２採血チューブ（Ｔ１．２）及び前記初流血液チューブ（Ｔ２）は、前記採血針（８）からみて、前記採血針（８）に近い側の第１端部と前記採血針（８）に遠い側の第２端部とを有し、
前記第１採血チューブ（Ｔ１．１）は、第１端部を前記採血針（８）に接続し、
前記第２採血チューブ（Ｔ１．２）は、第２端部を前記採血バッグ（４）に接続し、
前記第１採血チューブ（Ｔ１．１）と前記第２採血チューブ（Ｔ１．２）との間に流路切替手段（Ｖ）を配置し、当該流路切替手段（Ｖ）に前記初流血液チューブ（Ｔ２）の第１端部を接続し、
当該初流血液チューブ（Ｔ２）の第２端部は、採血初流除去バッグ（Ｂ）に接続し、
前記流路切替手段（Ｖ）は、多方活栓（３０）であり、
当該多方活栓（３０）は、本体（３１）と、当該本体（３１）内に回動自在に嵌合される栓体（３４）とを有し、
前記本体（３１）は、長手方向と当該長手方向と略垂直に交わる側部方向を有し、当該側部方向は第１側部方向、第２側部方向、第３側部方向、及び第４側部方向を有し、
前記第１側部方向に第三分岐管（３３ｃ）を有し、
前記第２側部方向に第一分岐管（３３ａ）を有し、及び前記第３側部方向に第二分岐管（３３ｂ）を有し、
前記第一分岐管（３３ａ）に、前記第１採血チューブ（Ｔ１．１）の第２端部を接続し、
前記第二分岐管（３３ｂ）に、前記第２採血チューブ（Ｔ１．２）の第１端部を接続し、
前記第三分岐管（３３ｃ）に、前記初流血液チューブ（Ｔ２）の第１端部を接続し、
前記栓体（３４）は、第一流路（３６ａ）と第二流路（３６ｂ）を有し、
前記第一流路（３６ａ）は、前記第２側部方向から前記栓体（３４）の略中央部方向に迂回して、前記第二流路（３６ｂ）と連通するように形成し、
前記第二流路（３６ｂ）は、前記第１側部方向から前記栓体（３４）の略中央部方向に迂回して、前記第一流路（３６ａ）と連通するように形成し、
前記第一流路（３６ａ）と前記第二流路（３６ｂ）は、前記栓体（３４）の略中央部方向に迂回して、略Ｌ字状に相互に連通するように形成し、
前記多方活栓（３０）は、
初期の第一の状態のとき、前記第１採血チューブ（Ｔ１．１）及び前記初流血液チューブ（Ｔ２）の流路を連通し、前記第２採血チューブ（Ｔ１．２）の流路を遮断し、
前記第一の状態から前記栓体（３４）を前記第２側部方向の位置まで回動して、第二の状態にしたとき、前記第１採血チューブ（Ｔ１．１）及び前記第２採血チューブ（Ｔ１．２）の流路を連通し、前記初流血液チューブ（Ｔ２）の流路を遮断し、
前記第二の状態から前記栓体（３４）を前記第３側部方向の位置まで回動して、第三の状態にしたとき、前記第１採血チューブ（Ｔ１．１）、第２採血チューブ（Ｔ１．２）、及び前記初流血液チューブ（Ｔ２）を全て遮断し、
前記栓体（３４）の前記第一流路（３６ａ）は、
前記第一の状態のときに、前記第一分岐管（３３ａ）と連通し、
前記第二の状態のときに、前記第二分岐管（３３ｂ）と連通し、
前記第三の状態のときに、前記第一分岐管（３３ａ）、第二分岐管（３３ｂ）、及び第三分岐管（３３ｃ）のいずれとも連通せず、
前記栓体（３４）の前記第二流路（３６ｂ）は、
前記第一の状態のときに、前記第三分岐管（３３ｃ）と連通し、
前記第二の状態のときに、前記第一分岐管（３３ａ）と連通し、
前記第三の状態のときに、前記第二分岐管（３３ｂ）と連通し、
前記第一の状態のときは、初流血液を、前記採血針（８）から前記第１採血チューブ（Ｔ１．１）、前記多方活栓（３０）を経て、前記初流血液チューブ（Ｔ２）へ流すことができ、
前記第二の状態のときは、初流血液採取後の血液を、前記採血針（８）から前記第１採血チューブ（Ｔ１．１）、前記多方活栓（３０）、前記第２採血チューブ（Ｔ１．２）を経て、前記採血バッグ（４）へ採取することができ、
前記第三の状態のときは、前記採血初流除去バッグ（Ｂ）のバッグ本体（２１）内に貯留した初流血液を、出口（２４）側から採取することができる採血器具（１）を提供する。
【０００９】
［２］本発明は、
前記［１］に記載の多方活栓（３０）に代えて、さらに栓体（３４）の逆操作を防止するための逆操作防止部材を有する多方活栓（３０Ａ）を装着し、
前記逆操作防止部材は、
本体（３１）の内壁に形成された突起（４１）と前記栓体（３４）の外壁に形成された係止部材（４２）、または、
前記本体（３１）の内壁に形成された係止部材（４２）と前記栓体（３４）の外壁に形成された突起（４１）である［１］に記載の採血器具（１）を提供とする。
【００１０】
［３］本発明は、
前記［２］に記載の前記逆操作防止部材を有する多方活栓（３０Ａ）は、
本体（３１）と、栓体（３４）とを有し、
前記本体（３１）と前記栓体（３４）は、長手方向と当該長手方向と略垂直に交わる側部方向を有し、
当該長手方向は、上部方向である第１長手方向と下部方向である第２長手方向とを有し、
前記側部方向は、第１側部方向、第２側部方向、第３側部方向、及び第４側部方向を有し、
前記栓体（３４）は、前記本体（３１）内を前記第１側部方向、第２側部方向、及び第３側部方向にわたって回動できるように嵌合し、
前記本体（３１）は、上部壁面（ＵＷ）、側部壁面（ＳＷ）及び下部壁面（ＬＷ）を有し、
前記側部壁面（ＳＷ）は、前記第１側部方向に第三分岐管（３３ｃ）を有し、前記第２側部方向に前記第一分岐管（３３ａ）を有し、及び前記第３側部方向に前記第二分岐管（３３ｂ）を有し、
前記側部壁面（ＳＷ）は、前記第１側部方向と前記第２側部方向との間に、前記第２側部方向に沿って次第に大きく突出する第１突起（４１．１）を形成し、当該第１突起（４１．１）は、前記第２側部方向に第１係止部（４１．１Ｔ）を有し、
前記第２側部方向と前記第３側部方向との間に、前記第３側部方向に沿って次第に大きく突出する第２突起（４１．２）を形成し、当該第２突起（４１．２）は、前記第３側部方向に第２係止部（４１．２Ｔ）を有し、
前記第１側部方向と前記第４側部方向との間に、前記第１側部方向に沿って次第に大きく突出する第３突起（４１．３）を形成し、当該第３突起（４１．３）は、前記第１側部方向に第３係止部（４１．３Ｔ）を有し、
上部壁面（ＵＷ）は、略中央部に、孔（３１Ｈ）を形成し、
下部壁面（ＬＷ）は、略中央部に、第２長手方向から第１長手方向に立ち上がる軸（５０）を有し、
前記下部壁面（ＬＷ）は、前記軸（５０）と前記第４側部方向との間に、第２長手方向から第１長手方向に立ち上がる回転角度制御部材（４２Ｔ１）を有し、
前記栓体（３４）は、ハンドル（３４Ｈ）、ロータ（５１）、第一流路（３６ａ）及び第二流路（３６ｂ）を有し、
前記ハンドル（３４Ｈ）は、前記栓体（３４）の上部に装着し、
前記第一流路（３６ａ）は、前記第２側部方向から前記栓体（３４）の略中央部方向に迂回して、前記第二流路（３６ｂ）と連通するように形成し、
前記第二流路（３６ｂ）は、前記１側部方向から前記栓体（３４）の略中央部方向に迂回して、前記第一流路（３６ａ）と連通するように形成し、
前記第一流路（３６ａ）と前記第二流路（３６ｂ）は、前記栓体（３４）の略中央部方向に迂回して、略Ｌ字状に相互に連通するように形成し、
前記第一流路（３６ａ）は、
第一の状態のときに、前記第一分岐管（３３ａ）と連通し、
第二の状態のときに、前記第二分岐管（３３ｂ）と連通し、
第三の状態のときに、前記第一分岐管（３３ａ）、前記第二分岐管（３３ｂ）、及び前記第三分岐管（３３ｃ）のいずれとも連通せず、
前記第二流路（３６ｂ）は、
第一の状態のときに、前記第三分岐管（３３ｃ）と連通し、
第二の状態のときに、前記第一分岐管（３３ａ）と連通し、
前記ロータ（５１）は、係止部材（４２）、中央溝（５０Ｍ）、回転溝（５２）を有し、
前記回転溝（５２）は、前記ロータ（５１）の側部方向の壁面と前記中央溝（５０Ｍ）との間に、前記第２側部方向、前記第３側部方向、及び前記第４側部方向にわたって連続して形成し、かつ前記ロータ（５１）の第１長手方向から第２長手方向に形成し、
前記係止部材（４２）は、前記ロータ（５１）の第１側部方向の近傍に突出して形成し、当該係止部材（４２）の前記第１側部方向の端部に係合部（４２Ｔ２）を形成し、
前記ロータ（５１）の中央溝（５０Ｍ）と、前記本体（３４）の軸（５０）を装着し、かつ前記ロータ（５１）の回転溝（５２）と、前記本体（３４）の回転角度制御部材（４２Ｔ１）を装着することにより、
前記ロータ（５１）は、前記本体（３１）の軸（５０）を中心として回動できるように装着し、
前記ロータ（５１）は、前記軸（５０）を中心として、前記係合部（４２Ｔ２）が、前記第１側部方向、前記第２側部方向、及び前記第３側部方向の範囲内で回転し、前記係合部（４２Ｔ２）と前記第１突起（４１．１）、前記第２突起（４１．２）、及び前記第３突起（４１．３）が係合することにより、前記第１側部方向から前記第３側部方向の一方向のみの回転を許容する、多方活栓（３０Ａ）である［２］に記載の採血器具（１）。
【００１１】
［４］本発明は、
前記［３］に記載の多方活栓（３０Ａ）において、
前記第一の状態のとき、前記係合部（４２Ｔ２）と前記第３係止部（４１．３Ｔ）は、前記第１側部方向の位置で係合し、
前記第二の状態のとき、前記係合部（４２Ｔ２）と前記第１係止部（４１．１Ｔ）は、前記第２側部方向の位置で係合し、前記係合部（４２Ｔ２）は、前記第１側部方向への逆回転を阻止され、
前記第三の状態のとき、前記係合部（４２Ｔ２）と前記第１係止部（４１．２Ｔ）は、前記第３側部方向の位置で係合し、前記係合部（４２Ｔ２）は、前記第２側部方向への逆回転を阻止され、
前記第三の状態のとき、前記ロータ（５１）の回転溝（５２）の第２側部側の端部が、回転角度制御部材（４２Ｔ１）に衝突し、前記係合部（４２Ｔ２）が前記第２側部方向への逆回転できないように形成した、
多方活栓（３０Ａ）である［３］に記載の採血器具（１）。
【発明の効果】
【００１６】
特許文献１から特許文献４に記載の分岐部を、流路切替手段Ｖ（多方活栓３０、３０Ａ）とし、当該流路切替手段Ｖ（多方活栓３０、３０Ａ）に、特許文献１から特許文献４に記載の流路用封止手段（外付けのクランプ、破断すると流路が開通する封止部材等）の機能を付与したので、
（１）作業者のクランプの閉め忘れ、これに伴う採血バッグへの採血初流の混入や、破断が速やかにできないとか、封止部材の破断片が発生したりする懸念が解消できる。
（２）第１の流路（採血チューブ）の構造も簡略化できる。
（３）また特許文献１から特許文献４に記載の発明では、初流血液の採取から血液の採取に移行する時、第２の流路（初流血液チューブ）を流路用封止手段（外付けのクランプ）で閉塞し、さらに第１の流路（採血チューブ）の流路用封止手段（外付けのクランプ）を開放する等、二ステップの操作が必要であるが、本発明は、流路切替手段Ｖ（多方活栓３０、３０Ａ）を切り替えるのみで済むので、これらの操作がワンステップで容易となるとともにどちらかの操作を忘れる等の操作ミスを防止できる。
（４）また特許文献１から特許文献４に記載の発明では、第１の流路（採血チューブ）と第２の流路（初流血液チューブ）に、複数の流路用封止手段（外付けのクランプ、破断すると流路が開通する封止部材）を装着する旨が記載されているが、本発明では、これらの流路用封止手段を、全て廃止し、一つの流路切替手段Ｖ（多方活栓３０、３０Ａ）で、複数の流路用封止手段の役割を代替することができる。
（５）操作する部分が一か所なので操作が単純化され操作ミスが減る。
（６）すべての操作を片手で行うことができる（特許文献２、３の破断すると流路が開通する封止部材は両手が必要）。
（７）特許文献１から４の複数の流路用封止手段（外付けのクランプ、破断すると流路が開通する封止部材）と分岐管の働きを一つの部品にまとめるため組立工数が減り、製品全体がシンプルになる。
【発明を実施するための最良の形態】
【００１７】
図１は、本発明の採血器具１の概略図、図２から図１４は、流路切替手段Ｖの一例とその使用例を示す概略図である。
［採血器具１］
本発明の採血器具１は、図１に例示するように、供血者より血液を採取する採血針８と、採取された血液を収納する採血バッグ４と、一方端が前記採血バッグ４に他方端が前記採血針８にそれぞれ連通し、前記採取された血液を前記採血バッグ４へ導入する採血チューブＴ１（第１採血チューブＴ１．１と第２採血チューブＴ１．２とを含む）当該採血チューブＴ１から分岐し、前記採取された血液の初流を除去する初流血液チューブＴ２とを有する。
採血器具１は、前記採血チューブＴ１の途中に、当該採血チューブＴ１と前記初流血液チューブＴ２の流路切替手段Ｖを配置し、当該流路切替手段Ｖに、初流血液チューブＴ２の端部を接続している。
【００１８】
さらに詳述すれば、採血器具１は、例えば図１に示すように、採血バッグ４、採血初流除去セット２、血液フィルタ３、第１子バッグ５、第２子バッグ６及び赤血球保存液入バッグ７から構成される。
採血バッグ４の上流には、採血チューブＴ１を接続している。採血チューブＴ１には、先端（上流）からその途中にわたって、採血針８、流路切替手段Ｖを接続・配置している。流路切替手段Ｖには、初流血液導入チューブＴ２を介して採血初流除去セット２を接続している。
さらに採血バッグ４の下流には、連結チューブＴ３を介して血液フィルタ３及び第１子バッグ５を接続している。さらに第１子バッグ５は、連結チューブＴ４、接続管１３、連結チューブＴ５、Ｔ６を介して、第２子バッグ６、赤血球保存液入バッグ７を接続している。
採血バッグ４及び赤血球保存液入りバッグ７には、採血時または輸血保存時における血液の凝固の防止または保存のために、例えばＡＣＤ液、ＣＰＤ液、ＭＡＰ液のような抗凝固剤または赤血球保存液を収納している。
採血初流除去バッグＢ及び採血バッグ４のバッグ類を構成する材料として、例えばポリ塩化ビニル、ポリオレフィン等の可撓性合成樹脂が用いられる。
【００１９】
さらに、図１を参照にして詳述する。
採血器具１は、供血者より血液を採取する採血針８と、前記採取された血液を収納する採血バッグ４と、前記採取された血液を前記採血バッグ４へ導入する第１採血チューブＴ１．１及び第２採血チューブＴ１．２と、前記採取された血液の初流を除去する初流血液チューブＴ２と、採血初流除去バッグＢとを有する。
前記第１採血チューブＴ１．１、第２採血チューブＴ１．２及び前記初流血液チューブＴ２は、前記採血針８からみて、前記採血針８に近い側の第１端部と前記採血針８に遠い側の第２端部とを有する。
前記第１採血チューブＴ１．１は、第１端部を前記採血針８に接続し、前記第２採血チューブＴ１．２は、第２端部を前記採血バッグ４に接続している。
前記第１採血チューブＴ１．１と前記第２採血チューブＴ１．２との間に流路切替手段Ｖを配置し、当該流路切替手段Ｖに前記初流血液チューブＴ２の第１端部を接続している。
当該初流血液チューブＴ２の第２端部は、採血初流除去バッグＢに接続している。
【００２０】
［流路切替手段Ｖ］
本発明に使用する「流路切替手段Ｖ」は、初流血液を、採血針８から第１採血チューブＴ１．１、流路切替手段Ｖを経て、初流血液チューブＴ２へ流す時は、採血バッグ４側の第２採血チューブＴ１．２の流路を遮断する。また初流血液採取後の血液を、採血針８から第１採血チューブＴ１．１、流路切替手段Ｖ、第２採血チューブＴ１．２を経て採血バッグ４へ採取する時は、初流血液チューブＴ２の流路を遮断する。
本発明に使用する流路切替手段Ｖの一例として、例えば図２から図４に例示する多方活栓３０が挙げられる。
多方活栓３０は、外周に第一から第三の三つの分岐管３３ａ、３３ｂ、３３ｃを有する筒状の本体３１と、栓体３４とから構成される。
栓体３４は、本体３１内に回動自在に嵌合し、採血針８側の採血チューブＴ１が、初流血液導入チューブＴ２と連通し、採血針８側の採血チューブＴ１が、採血バッグ４側の採血チューブＴ１と連通する少なくとも二つの流路（第一流路３６ａ、第二流路３６ｂ）を有する。
第一分岐管３３ａと第二分岐管３３ｂは、それぞれ採血針８側の第１採血チューブＴ１．１と採血バッグ４側の第２採血チューブＴ１．２に接続し、第三分岐管３３ｃは、採血初流チューブＴ２に接続している。
【００２１】
図２は、採血針８側の第１採血チューブＴ１．１が、多方活栓３０の第一流路３６ａ、第二流路３６ｂを経て、初流血液導入チューブＴ２と連通している状態（以下、この初期状態という）を示す。
図３（図２の状態から栓体３４を左に９０°回動した状態）は、採血針８側の第１採血チューブＴ１．１が、多方活栓３０の第一流路３６ａ、第二流路３６ｂを経て、採血バッグ４側の第２採血チューブＴ１．２と連通している状態を示す。
図４（図３の状態から栓体３４を左に９０°回動した状態、図２の状態から栓体３４を左に１８０°回動した状態）は、第１採血チューブＴ１.１、第２採血チューブＴ１.２、流路切替手段Ｖの第一流路３６ａ、第二流路３６ｂ、初流血液導入チューブＴ２の各流路が全て遮断された状態を示している。
【００２２】
さらに、図２〜図４を参照にして詳述する。
当該多方活栓３０は、本体３１と、当該本体３１内に回動自在に嵌合される栓体３４とを有する。
前記本体３１は、長手方向と当該長手方向と略垂直に交わる側部方向を有し、当該側部方向は第１側部方向、第２側部方向、第３側部方向、及び第４側部方向を有する。
前記第１側部方向に第三分岐管３３ｃを有し、前記第２側部方向に前記第一分岐管３３ａを有し、及び前記第３側部方向に前記第二分岐管３３ｂを有している。
前記第一分岐管３３ａに、前記第１採血チューブＴ１．１の第２端部を接続し、前記第二分岐管３３ｂに、前記第２採血チューブＴ１．２の第１端部を接続し、前記第三分岐管３３ｃに、前記初流血液チューブＴ２の第１端部を接続している。
【００２３】
前記栓体３４は、第一流路３６ａと第二流路３６ｂを有する。
前記第一流路３６ａは、前記第２側部方向から前記栓体３４の略中央部方向に迂回して、前記第二流路３６ｂと連通するように形成している。
前記第二流路３６ｂは、前記１側部方向から前記栓体３４の略中央部方向に迂回して、前記第一流路３６ｂと連通するように形成している。
前記第一流路３６ａと前記第二流路３６ｂは、前記栓体３４の略中央部方向に迂回して、略Ｌ字状に相互に連通するように形成している。
前記多方活栓３０は、初期の第一の状態のとき（図２参照）、前記第１採血チューブＴ１．１及び前記初流血液チューブＴ２の流路を連通し、前記第２採血チューブＴ１．２の流路を遮断している。
前記第一の状態から前記栓体３４を前記第２側部方向の位置まで回動して、第二の状態にしたとき（図３参照）、前記第１採血チューブＴ１．１及び前記第２採血チューブＴ１．２の流路を連通し、前記初流血液チューブＴ２の流路を遮断している。
前記第二の状態から前記栓体３４を前記第３側部方向の位置まで回動して、第三の状態にしたとき（図４参照）、前記第１採血チューブＴ１．１、第２採血チューブＴ１．２、及び前記初流血液チューブＴ２を全て遮断している。
【００２４】
前記栓体３４の前記第一流路３６ａは、前記第一の状態のときに、前記第一分岐管３３ａと連通し、前記第二の状態のときに、前記第二分岐管３３ｂと連通し、前記第三の状態のときに、前記第一分岐管３３ａ、第二分岐管３３ｂ、及び第三分岐管３３ｃのいずれとも連通していない。
前記栓体３４の前記第二流路３６ｂは、前記第一の状態のときに、前記第三分岐管３３ｃと連通し、前記第二の状態のときに、前記前記第一分岐管３３ａと連通し、前記第三の状態のときに、前記第二分岐管３３ｂと連通している。
前記第一の状態のとき（図２参照）は、初流血液を、前記採血針８から前記第１採血チューブＴ１．１、前記多方活栓３０を経て、前記初流血液チューブＴ２へ流すことができる。
前記第二の状態のとき（図３参照）は、初流血液採取後の血液を、前記採血針８から前記第１採血チューブＴ１．１、前記多方活栓３０、前記第２採血チューブＴ１．２を経て、前記採血バッグ４へ採取することができる。
前記第三の状態のとき（図４参照）は、前記採血初流除去バッグＢのバッグ本体２１内に貯留した初流血液を、出口２４側から採取することができる。
【００２５】
さらに流路切替手段Ｖ（多方活栓３０）は、発展させて、図５から図１２に例示するように、栓体３４の逆操作防止部材付きの多方活栓３０Ａとすることができる。
図５は、流路切替手段Ｖ（多方活栓３０Ａ）の外観斜視図［初期状態：第一の状態（図２に対応）］。
図６は、栓体３４の外観斜視図［栓体３４を左に９０°回動した状態：第二の状態（図３対応）］。
図７は、本体３１の全体斜視図。
図８は、流路切替手段Ｖ（多方活栓３０Ａ）の透視斜視図［初期状態：第一の状態（図２に対応）］。
図９は、栓体３４の透視斜視図［初期状態：第一の状態（図２に対応）］。
図１０は、本体３１の透視斜視図。
図１１は、流路切替手段Ｖ（多方活栓３０Ａ）のＡ−Ａ縦断面図。
図１２は、流路切替手段Ｖ（多方活栓３０Ａ）の横断面図［初期状態：第一の状態（図２に対応）］。
図１３は、流路切替手段Ｖ（多方活栓３０Ａ）の横断面図［栓体３４を左に９０°回動した状態：第二の状態（図３対応）］。
図１４は、流路切替手段Ｖ（多方活栓３０Ａ）の横断面図［栓体３４を左に１８０°回動した状態：第三の状態（図４対応）］である。
【００２６】
多方活栓３０Ａは、図２から図４に例示した多方活栓３０（外周に第一から第三の三つの分岐管３３ａ、３３ｂ、３３ｃを有する筒状の本体３１と、栓体３４とから構成される）に、「逆操作防止部材」を付加したものである。
「逆操作防止部材」とは、図６、９、１０、図１２から図１４に例示するように、例えば本体３１の内壁に形成された「突起４１」と栓体３４の外壁に形成された「係止部材４２」で、「突起４１」と「係止部材４２」の係合により、例えば左方向に回動した場合は、逆方向の右方向に回動できないようにしている。なお、あえて図示しないが、本体３１の内壁に係止部材４２を形成しても良いし、栓体３４の外壁に突起４１を形成しても良い。
さらに多方活栓３０Ａについて詳述する。
本体３１は、図５、図７、図１１に例示するように、円筒状に形成し、上部壁面ＵＷ、側部壁面ＳＷ及び下部壁面ＬＷを有する。上部壁面ＵＷの略中央部に、孔３１Ｈを形成している。
さらに側壁ＳＷの上部位置（第１長手方向で、かつ側部方向）に、第一から第三の三つの分岐管３３ａ、３３ｂ、３３ｃが装着されている。
また側部壁面ＳＷの内壁に複数の突起４１を形成している。
【００２７】
栓体３４は、図６、図９に例示するように、上部（第１長手方向）にハンドル３４を装着し、下部（第２長手方向）に軸５０を中心として回動するロータ５１を装着している。
さらにロータ５１の外壁に図１２から図１４に例示するように、ヒゲ状に突出した係止部材４２を装着している。さらに係止部材４２の端部には、係合部４２Ｔ２を形成している。
さらに内部に第一流路３６ａと第二流路３６ｂを形成している。
ロータ５１は、軸５０（固定ピン）により本体３１の底部に装着されている（嵌め込まれている）。
ロータ５１は、略ドーナツ状の回転溝５２を形成し、当該回転溝５２が、図１１のように回転角度制御部材（固定ピン）４２Ｔ１に覆いかぶさるように、本体３１に取り付けている。ロータ５１は、略ドーナツ状の回転溝５２の範囲内で回転する。
【００２８】
図１２から図１４の例示では、係止部材４２の係合部４２Ｔ２と突起４１が係合し、いわゆる「係止（ラッチ）構造」となるため、一方向（左方向）のみしか回転しない。
図１２が初期状態で、図１３は図１２の状態から左に９０°回転した状態、図１４は図１３の状態からさらに左に９０°回転した状態を示す。
図１２及び図１３の例示では、突起４１と係止部材４２の係合部４２Ｔ２は、「係止（ラッチ）構造」となっているため、右へ回転することがない。
図１４の状態では、これにあわせてロータ５１の回転溝５２の右側終端（図１４上では、第４側部方向端部）が、回転角度制御部材（固定ピン）４２Ｔ１に衝突するため、これ以上左に回転できない。この状態で流路は全て閉塞状態であり、誤った操作による流路の開放を防止できる。
以上によりロータ５１が１８０°以上左に回転することを防止することができる。すなわち一周回って元通りの位置に戻るという誤動作を防止することができる。
【００２９】
さらに、図５〜図１４を参照にして詳述する。
前記逆操作防止部材を装着した多方活栓３０Ａについて詳述する。
多方活栓３０Ａの好ましい態様は以下のとおりである。
（図５〜１４を参照すれば）多方活栓３０Ａは、本体３１と、栓体３４とを有し、前記本体３１と前記栓体３４は、長手方向と当該長手方向と略垂直に交わる側部方向を有する。
当該長手方向は、上部方向である第１長手方向と下部方向である第２長手方向とを有し、前記側部方向は、第１側部方向、第２側部方向、第３側部方向、及び第４側部方向を有する。
前記栓体３４は、前記本体３１内を前記第１側部方向、第２側部方向、及び第３側部方向にわたって回動できるように嵌合している。
（図１１を参照すれば）前記本体３１は、上部壁面ＵＷ、側部壁面ＳＷ及び下部壁面ＬＷを有する。
（図５を参照すれば）前記側壁（ＳＷ）は、前記第１側部方向に第三分岐管３３ｃを有し、前記第２側部方向に前記第一分岐管３３ａを有し、及び前記第３側部方向に前記第二分岐管３３ｂを有する。
【００３０】
（図１２〜１４を参照すれば）前記側部壁面ＳＷは、前記第１側部方向と前記第２側部方向との間に、前記第２側部方向に沿って次第に大きく突出する第１突起４１．１を形成し、当該第１突起４１．１は、前記第２側部方向に第１係止部４１．１Ｔを有する。
前記第２側部方向と前記第３側部方向との間に、前記第３側部方向に沿って次第に大きく突出する第２突起４１．２を形成し、当該第２突起４１．２は、前記第３側部方向に第２係止部４１．２Ｔを有する。
前記第１側部方向と前記第４側部方向との間に、前記第１側部方向に沿って次第に大きく突出する第３突起４１．３を形成し、当該第３突起４１．３は、前記第１側部方向に第３係止部４１．３Ｔを有する。
（図５を参照すれば）上部壁面ＵＷは、略中央部に、孔３１Ｈを形成している。
（図８〜１１を参照すれば）下部壁面ＬＷは、略中央部に、第２長手方向から第１長手方向に立ち上がる軸５０を有する。
前記下部壁面ＬＷは、前記軸５０と前記第４側部方向との間に、第２長手方向から第１長手方向に立ち上がる回転角度制御部材４２Ｔ１を有する。
（図６を参照すれば）前記栓体３４は、ハンドル３４Ｈ、ロータ５１、第一流路３６ａ及び第二流路３６ｂを有する。
（図６を参照すれば）前記ハンドル３４Ｈは、前記栓体３４の上部に装着している。
【００３１】
（図８〜９を参照すれば）前記第一流路３６ａは、前記第２側部方向から前記栓体３４の略中央部方向に迂回して、前記第二流路３６ｂと連通するように形成している。
前記第二流路３６ｂは、前記１側部方向から前記栓体３４の略中央部方向に迂回して、前記第一流路３６ｂと連通するように形成している。
前記第一流路３６ａと前記第二流路３６ｂは、前記栓体３４の略中央部方向に迂回して、略Ｌ字状に相互に連通するように形成している。
（図２〜４、図１２〜１４を参照すれば）前記第一流路３６ａは、第一の状態（図２、図１２参照）のときに、前記第一分岐管３３ａと連通し、第二の状態（図３、図１３参照）のときに、前記第二分岐管３３ｂと連通し、第三の状態（図４、図１４参照）のときに、前記第一分岐管３３ａ、前記第二分岐管３３ｂ、及び前記第三分岐管３３ｃのいずれとも連通していない。
前記第二流路３６ｂは、第一の状態のときに、前記第三分岐管３３ｃと連通し、
第二の状態のときに、前記前記第一分岐管３３ａと連通している。
【００３２】
（図１１〜１２を参照すれば）前記ロータ５１は、係止部材４２、中央溝５０Ｍ、回転溝５２を有する。
（図１１〜１２を参照すれば）前記回転溝５２は、前記ロータ５１の側部方向の壁面と前記中央溝５０Ｍとの間に、前記第２側部方向、前記第３側部方向、及び前記第４側部方向にわたって連続して形成し、かつ前記ロータ５１の第１長手方向から第２長手方向に形成している。
（図１２を参照すれば）前記係止部材４２は、前記ロータ５１の第１側部方向の近傍に突出して形成し、当該係止部材４２の前記第１側部方向の端部に係合部４２Ｔ２を形成している。
【００３３】
（図１１〜１２を参照すれば）前記ロータ５１の中央溝５０Ｍと、前記本体３４の軸５０を装着し、かつ前記ロータ５１の回転溝５２と、前記本体３４の回転角度制御部材４２Ｔ１を装着することにより、前記ロータ５１は、前記本体３１の軸５０を中心として回動できるように装着している。
（図１１〜１２を参照すれば）前記ロータ５１は、前記軸５０を中心として、前記係合部４２Ｔ２が、前記第１側部方向、前記第２側部方向、及び前記第３側部方向の範囲内で回転し、前記係合部４２Ｔ２と前記第１突起４１．１、前記第２突起４１．２、及び前記第３突起４１．３が係合することにより、前記第１側部方向から前記第３側部方向の一方向のみの回転を許容する。
【００３４】
（図１２〜１４を参照すれば）前記第一の状態（図１２参照）のとき、前記係合部４２Ｔ２と前記第３係止部４１．３Ｔは、前記第１側部方向の位置で係合している。
前記第二の状態（図１３参照）のとき、前記係合部４２Ｔ２と前記第１係止部４１．１Ｔは、前記第２側部方向の位置で係合し、前記係合部４２Ｔ２は、前記第１側部方向への逆回転を阻止される。
前記第三の状態（図１４参照）のとき、前記係合部４２Ｔ２と前記第１係止部４１．２Ｔは、前記第３側部方向の位置で係合し、前記係合部４２Ｔ２は、前記第２側部方向への逆回転を阻止される。
（図１４を参照すれば）前記第三の状態のとき、前記ロータ５１の回転溝５２の第２側部側（前記第一の状態のとき）の端部が、回転角度制御部材４２Ｔ１に衝突し、前記係合部４２Ｔ２が前記第２側部方向への逆回転できないように形成している。
【００３５】
［採血器具１の使用例１］
（１）初流血液の採血
流路切替手段Ｖ（多方活栓３０、３０Ａ）の流路は、図２に例示するように調整された状態で提供される。
採血針８側の第１採血チューブＴ１．１と初流血液チューブＴ２は、流路切替手段Ｖ（多方活栓３０、３０Ａ）の第一流路３６ａ、第二流路３６ｂを介して連通し、流路切替手段Ｖ（多方活栓３０、３０Ａ）の第一流路３６ａ、第二流路３６ｂと採血バッグ４側の第２採血チューブＴ１．２の流路を遮断した状態にする。
供血者に採血針８を穿刺して、初流血液を採血針８、第１採血チューブＴ１．１、流路切替手段Ｖ（多方活栓３０、３０Ａ）の第一流路３６ａ、第二流路３６ｂ、初流血液チューブＴ２を経て、採血初流除去バッグＢに採取する。
（２）採血バッグ４への血液の採取
初流血液の採取が規定量に達した時点で、流路切替手段Ｖ（多方活栓３０、３０Ａ）の流路を、図３（栓体３４を図２の位置から、左に９０°回転させた状態）に例示するように調整する。
採血針８側の第１採血チューブＴ１．１と採血バッグ４側の第２採血チューブＴ１．２は、流路切替手段Ｖの第一流路３６ａ、第二流路３６ｂを介して連通し、流路切替手段Ｖ（多方活栓３０、３０Ａ）の第一流路３６ａ、第二流路３６ｂと初流血液チューブＴ２の流路を遮断した状態にする。
初流血液採取後の血液を、採血針８から第１採血チューブＴ１．１、流路切替手段Ｖの第一流路３６ａ、第二流路３６ｂを経て、採血バッグ４へ採取する。
（３）最後に、図４のように（栓体３４を図３の位置から、左に９０°回転させた状態）、採血針８側と採血バッグ４側の第２採血チューブＴ１．２、初流血液チューブＴ２、流路切替手段Ｖ（多方活栓３０、３０Ａ）の第一流路３６ａ、第二流路３６ｂを全て閉塞し、採血初流除去バッグＢのバッグ本体２１の血液溜内に貯留した血液を、バッグ本体２１の出口２４に接続される真空採血管ホルダ２２から真空採血管へと採取する。
【図面の簡単な説明】
【００３８】
【図１】本発明の採血器具の概略図
【図２】流路切替手段（多方活栓３０）の一例を示す概略図
【図３】流路切替手段（多方活栓３０）の一例を示す概略図
【図４】流路切替手段（多方活栓３０）の一例を示す概略図
【図５】流路切替手段Ｖ（多方活栓３０Ａ）の外観斜視図［初期状態：第一の状態（図２に対応）］
【図６】栓体３４の外観斜視図［栓体３４を左に９０°回動した状態：第二の状態（図３対応）］
【図７】本体３１の全体斜視図
【図８】流路切替手段Ｖ（多方活栓３０Ａ）の透視斜視図［初期状態：第一の状態（図２に対応）］
【図９】栓体３４の透視斜視図［初期状態：第一の状態（図２に対応）］
【図１０】本体３１の透視斜視図
【図１１】流路切替手段Ｖ（多方活栓３０Ａ）のＡ−Ａ縦断面図
【図１２】流路切替手段Ｖ（多方活栓３０Ａ）の横断面図［初期状態：第一の状態（図２に対応）］
【図１３】流路切替手段Ｖ（多方活栓３０Ａ）の横断面図［栓体３４を左に９０°回動した状態：第二の状態（図３対応）。
【図１４】流路切替手段Ｖ（多方活栓３０Ａ）の横断面図［栓体３４を左に１８０°回動した状態：第三の状態（図３対応）］
【符号の説明】
【００３９】
１   採血器具
２   採血初流除去セット
Ｂ   採血初流除去バッグ
３   血液フィルタ
４   採血バッグ
５   第１子バッグ
６   第２子バッグ
７   赤血球保存液入バッグ
８   採血針
１０   針カバー
１３   接続管
２１   バッグ本体
２２   真空採血管ホルダ
２３ （初流血液の）入口
２４ （初流血液の）出口
２５ （初流血液の）採取針
Ｖ   流路切替手段
３０、３０Ａ   多方活栓
３１   本体
ＵＷ   上部壁
ＬＷ   下部壁
ＳＷ   側壁
３３ａ   第一分岐管
３３ｂ   第二分岐管
３３ｃ   第三分岐管
３４   栓体
３４Ｈ   ハンドル
３６ａ   第一流路
３６ｂ   第二流路
４１．１  第１突起
４１．２  第２突起
４１．３  第３突起
４２   係止部材
４２Ｔ１ 回転角度制御部材（固定ピン）
４２Ｔ２   係合部
５０   軸（固定ピン）
５０Ｍ    中央溝
５１  ロータ
５２   溝（回転溝）
Ｔ１      採血チューブ
Ｔ１．１  第１採血チューブ
Ｔ１．２  第２採血チューブ
Ｔ２   初流血液導入チューブ
Ｔ３、Ｔ４、Ｔ５、Ｔ６   連結チューブ
【図６】
0005054371.tif 000002
【図７】
0005054371.tif 000003
【図８】
0005054371.tif 000004
【図９】
0005054371.tif 000005
【図１０】
0005054371.tif 000006
【図１１】
0005054371.tif 000007
【図１５】
0005054371.tif 000008
【図１６】
0005054371.tif 000009
【図１７】
0005054371.tif 000010
【図１８】
0005054371.tif 000011
【図１９】
0005054371.tif 000012
【図２０】
0005054371.tif 000013
【図２１】
0005054371.tif 000014
【図２２】
0005054371.tif 000015
【図２３】
0005054371.tif 000016
【図２４】
0005054371.tif 000017
【図２５】
0005054371.tif 000018
【図２６】
0005054371.tif 000019
【図２７】
0005054371.tif 000020
【図２８】
0005054371.tif 000021
【図２９】
0005054371.tif 000022
【図３０】
0005054371.tif 000023
【図３１】
0005054371.tif 000024
【図１】
0005054371.tif 000025
【図２】
0005054371.tif 000026
【図３】
0005054371.tif 000027
【図４】
0005054371.tif 000028
【図５】
0005054371.tif 000029
【図１２】
0005054371.tif 000030
【図１３】
0005054371.tif 000031
【図１４】
0005054371.tif 000032